(57)【要約】【課題】現場での作業を少なくして工期を短くする。【解決手段】ユニット構造部５０、５１は、複数のユニット１００が上下（Ｚ方向）及び左右（Ｘ方向）に接合されて構築されている。ユニット１００は、木質の積層材の一例としての直交集成材２００からなる壁部材１１０及び水平部材１２０で構成されている。壁部材１１０は左右（Ｘ方向）に間隔をあけて対向配置され、水平部材１２０は壁部材１１０から左側及び右側に張り出し壁部材１１０の上端部１１０Ａに接合されている。【選択図】図２
2018168652.tif 000002
【特許請求の範囲】
【請求項１】
木質の積層材からなり対面配置された壁部材と、木質の積層材からなり前記壁部材から左側及び右側の少なくとも一方側に張り出し前記壁部材に接合された水平部材と、で構成されたユニットが、上下方向及び左右方向の少なくとも一方向に接合されることで構築されたユニット構造物。
【請求項２】
前記壁部材から張り出した前記水平部材の張出部の下面と、前記壁部材の壁面と、が金物で接合されている、請求項１に記載のユニット構造物。
【請求項３】
隣り合う前記ユニットの前記壁部材と前記壁部材との間には、吸音材が設けられている、請求項１又は請求項２に記載のユニット構造物。
【発明の詳細な説明】
【技術分野】
【０００１】
本発明は、ユニット構造物に関する。
【背景技術】
【０００２】
特許文献１には、木造軸組ユニット建築物に関する技術が開示されている。この先行技術では、通し柱をなくし、木造軸組ユニットをつくり、それを車両搬送し、現場で組み立てている。
【０００３】
木造軸組は、高い耐震性を確保する場合、筋交や耐力壁を設ける必要があり、構造が複雑になり、その分工期が長くなる。
【先行技術文献】
【特許文献】
【０００４】
【特許文献１】特開２０１０−０１９０５８号公報
【発明の概要】
【発明が解決しようとする課題】
【０００５】
本発明は、上記事実を鑑み、現場での作業を少なくして工期を短くすることができるユニット構造物を提供することが目的である。
【課題を解決するための手段】
【０００６】
請求項１の発明は、木質の積層材からなり対面配置された壁部材と、木質の積層材からなり前記壁部材から左側及び右側の少なくとも一方側に張り出し前記壁部材に接合された水平部材と、で構成されたユニットが、上下方向及び左右方向の少なくとも一方向に接合されることで構築されたユニット構造物である。
【０００７】
請求項１に記載の発明では、ユニット構造物は、木質の積層材からなる壁部材及び水平部材で構成されているユニットを上下方向及び左右方向の少なくとも一方向に接合して構築される。ユニット構造物は、このように木質の積層材からなる壁部材及び水平部材で構成されたパネル工法であるので、木造軸組と比較し、耐震性が高く、筋交等を設ける必要がない。したがって、現場での作業が少なくなり、工期が短くなる。
【０００８】
請求項２の発明は、前記壁部材から張り出した前記水平部材の張出部の下面と、前記壁部材の壁面と、が金物で接合されている、請求項１に記載のユニット構造物である。
【０００９】
請求項２に記載の発明では、壁部材から張り出した水平部材の張出部と壁面とを金物で接合するので、ユニットを構成する壁部材の内側から金物が見えない。よって、意匠性が向上する。
【００１０】
請求項３の発明は、隣り合う前記ユニットの前記壁部材と前記壁部材との間には、吸音材が設けられている、請求項１又は請求項２に記載のユニット構造物である。
【００１１】
請求項３に記載の発明では、隣り合うユニットの壁部材と壁部材との間に吸音材を設けることで、ユニット間の防音性能が向上する。
【発明の効果】
【００１２】
本発明によれば、現場での作業を少なくして工期を短くすることができる。
【図面の簡単な説明】
【００１３】
【図１】本実施形態の構造物のユニット構造部を構成するユニットを示す斜め下方から見た斜視図である。
【図２】（Ａ）は左右上下にそれぞれ２つのユニットを接合した状態のユニット構造部のＸ方向に沿った縦断面図であり、（Ｂ）は最上層の要部の拡大断面図である。
【図３】本実施形態の構造物をＸ方向から見た立面図である。
【図４】本実施形態の構造物の一部を平面視した平面図である。
【図５】本実施形態のユニット構造部の要部を示すＸ方向に沿った縦断面図であり、（Ａ）は上方のユニットを接合する前の状態の図であり、（Ｂ）は上方のユニットを接合した状態の図である。
【図６】本実施形態の構造物の内部構造を模式的に示す伏図である。
【発明を実施するための形態】
【００１４】
＜実施形態＞
本発明の一実施形態に係るユニット構造物を含む構造物について説明する。水平方向の直交する二方向をＸ方向及びＹ方向とし、鉛直方向をＺ方向とする。なお、後述する左右方向がＸ方向である。
【００１５】
［構造］
先ず、本実施形態に係る構造物の構造について説明する。
【００１６】
図６に示す構造物１０は、ユニット構造物の一例としてのユニット構造部５０、５１と、一般構造部１２と、を含んで構成されている。なお、構造物１０におけるユニット構造部５０、５１以外の全部分が一般構造部１２である。また、図３に示すようにユニット構造部５０、５１（を含む構造物１０）は、三層構造となっている。
【００１７】
図６に示すように、ユニット構造部５０、５１は、複数のユニット１００が上下（Ｚ方向）及び左右（Ｘ方向）に接合されて構築されている（図２〜図４も参照）。本実施形態では、ユニット構造部５０は、ユニット１００が、左右（Ｘ方向）に四つ接合され、上下に三つ接合されている（図３も参照）。ユニット構造部５１は、ユニット１００が、左右（Ｘ方向）に六つ接合され、上下に三つ接合されている（図３も参照）。このように、ユニット構造部５０とユニット構造部５１とは、ユニット１００の左右に接合する個数が異なるだけである。
【００１８】
ユニット構造部５０、５１の各ユニット１００の内部が居室５２となっている（図４の破線が居室５２の外形を表している）。ユニット構造部５０（居室５２）とユニット構造部５１（居室５２）とは、Ｙ方向に間隔をあけて配置され、その間隔部分は、一般構造部１２を構成する廊下２０となっている（図３及び図４も参照）。また、ユニット構造部５０のＸ方向外側は、一般構造部１２を構成する図示していない階段及びエレベータなどが設けられた一般スペース１４となっている。
【００１９】
図１及び図２に示すように、ユニット１００は、木質の積層材の一例としての直交集成材２００からなる壁部材１１０及び水平部材１２０で構成されている。直交集成材２００は、各層で繊維方向が互いに直交するように積層し接着した木質の板材である。
【００２０】
壁部材１１０は左右（Ｘ方向）に間隔をあけて対向配置され、水平部材１２０は壁部材１１０から左側及び右側に張り出し壁部材１１０の上端部１１０Ａに接合されている。なお、水平部材１２０における壁部材１１０から左右（Ｘ方向）に張り出した部位を張出部１２２とする。よって、ユニット１００は、立面が鳥居形状（π字形状）となっている。
【００２１】
図１及び図３に示すように、本実施形態では、壁部材１１０及び水平部材１２０は、それぞれ五枚の直交集成材２００で構成されている。また、図１に示すように、本実施形態のユニット１００では、水平部材１２０におけるＹ方向の一端側は長く壁部材１１０からはみ出し、Ｙ方向の他端側は短く壁部材１１０の上端面１１０Ｂが露出している（図３及び図４も参照）。
【００２２】
図１に示すように、ユニット１００における水平部材１２０の張出部１２２の下面１２２Ａと、壁部材１１０の外側の壁面１１０Ｃと、がＬ字状の金物１３０で接合されている（図２、図３及び図５も参照）。なお、壁部材１１０及び水平部材１２０を構成する五枚の直交集成材２００毎に金物１３０で接合されている（図２（Ａ）、図２（Ｂ）、図３及び図５も参照）。なお、図中の符号１０１は、直交集成材２００毎に分割された分割ユニット１０１であり、分割ユニット１０１がＹ方向に並んだ状態がユニット１００である。この分割ユニット１０１については最後の＜その他＞で説明する。
【００２３】
図５に示すように、壁部材１１０及び水平部材１２０には、直交集成材２００毎に上下のユニット１００を接合するための後述する引きボルト１５０（図２も参照）が挿通する縦孔１３２、１３４が形成されている。また、壁部材１１０の各直交集成材２００には、縦孔１３２の上端部に連通する板厚方向に貫通する取付孔１１２が形成されている（図１及び図２も参照）。更に、水平部材１２０の張出部１２２の左右の端部には、後述するスプライン接合のための段差１２４（図１も参照）が形成されている。なお、引きボルト１５０以外の連結部材で連結してもよい。また、取付孔１１２は、貫通していなくてもよい（凹状であってもよい）。
【００２４】
図２（Ａ）、図４及び図５に示すように左右（Ｘ方向）に隣り合うユニット１００同士は、水平部材１２０の左右の端部１２６同士を突き合わせて、段差１２４（図１も参照）に合板製の接合板材１７０をはめ込みビスで固定するスプライン接合で接合されている。なお、接合板材１７０は、合板製（木製）でなく、金属製であってもよい。
【００２５】
図２（Ａ）及び図５に示すように、隣り合うユニット１００の壁部材１１０と壁部材１１０との間１１１には、グラスウール等からなる吸音材１６０が設けられている。吸音材１６０は、一方の壁部材１１０の外側の壁面１１０Ｃに接合されている。
【００２６】
上下に積層されたユニット１００同士は、縦孔１３２、１３４（図５を参照）に挿通された引きボルト１５０が取付孔１１２内でナットによって固定され、接合されている。なお、図２（Ｂ）に示すように、最上層（本実施形態では三層）は、引きボルト１５０は水平部材１２０の上面でナットで固定されている。
【００２７】
また、図２（Ａ）及び図５（Ｂ）に示すように、下側のユニット１００の水平部材１２０と上側のユニット１００の壁部材１１０の内側の壁面１１０Ｄが、Ｌ字状の金物１３１で接合されている。
【００２８】
図２（Ａ）に示すように、最下層のユニット１００は、基礎３０に固定された引きボルト１５０が縦孔１３２、１３４（図５を参照）に挿通され、取付孔１１２内でナットによって固定されている。また、ユニット１００の壁部材１１０の内側の壁面１１０Ｄが基礎３０にＬ字状の金物１３１で接合されている。
【００２９】
図２（Ａ）に示すように、本実施形態におけるユニット構造部５０、５１における各ユニット１００における左右の壁部材１１０間が前述した居室５２となる。居室５２における水平部材１２０上には、間隔をあけて木製の床仕上材６０が設けられ、二重床となっている（図５（Ｂ）も参照）。床仕上材６０は、図示していない床根太等で支持されている。
【００３０】
なお、ユニット１００の壁部材１１０の内側の壁面１１０Ｄと基礎３０又は下側のユニット１００の水平部材１２０とを接合するＬ字状の金物１３１は、床仕上材６０の下側に位置する。
【００３１】
居室５２のＹ方向の両側端部には、直交集成材２００で構成された壁材１８０、１８１（図６参照）や図示していない窓やドア等が設けられている。居室５２内には、図示していないユニットバス、照明器具及び空調設備などが設けられている。また、取付孔１１２は、図示していない木質材で閉ざされている。
【００３２】
また、図３及び図４に示すように、ユニット構造部５０とユニット構造部５１との間（廊下２０）には、壁部材１１０の上端面１１０Ｂ（図１及び図３を参照）に、直交集成材２００で構成された水平部材１２９が架け渡され、スプライン接合されている。なお、壁部材１１０と水平部材１２９とはＬ字金物で接合されている。
【００３３】
［施工方法］
次にユニット構造部５０、５１を備える構造物１０の施工方法の一例について説明する。
【００３４】
図１に示すように、先ず構造物１０の建設現場以外の工場等で、直交集成材２００で構成された水平部材１２０と壁部材１１０とをＬ字状の金物１３０で接合し、ユニット１００を作製する。ユニット１００の壁部材１１０を構成する直交集成材２００同士及び水平部材１２０を構成する直交集成材２００同士は仮固定する。
【００３５】
直交集成材２００には、縦孔１３２、１３４、取付孔１１２、段差１２４等を予め形成する。
【００３６】
また、ユニット１００同士が隣接する一方の壁部材１１０の外側の壁面１１０Ｃに吸音材１６０（図２（Ａ）及び図５（Ｂ）を参照）を接合する。
【００３７】
図２（Ａ）に示すように、基礎３０上にユニット１００を左右方向に並べて、基礎３０に予め接合した引きボルト１５０を縦孔１３２、１３４に挿通し、取付孔１１２でナットによって固定する。また、ユニット１００の壁部材１１０の内側の壁面１１０Ｃを基礎３０にＬ字状の金物１３１で固定する（図５（Ｂ）も参照）。なお、金物１３１による固定は上方から作業を行うことができる。
【００３８】
左右に隣り合うユニット１００同士は、水平部材１２０の左右の端部１２６同士を突き合わせて、段差１２４に合板製の接合板材１７０をはめ込みビスで固定するスプライン接合で接合する（図５（Ａ）も参照）。このとき、ユニット１００の水平部材１２０同士のスプライン接合は、上方から作業を行うことができる。
【００３９】
次に、ユニット１００を積層すると共に左右方向に並べて上下左右のユニット１００同士を接合する。上下に積層されたユニット１００同士は、縦孔１３２、１３４に引きボルト１５０を挿通し、取付孔１１２内でナットによって固定する。また、下側のユニット１００の水平部材１２０と上側のユニット１００の壁部材１１０の内側の壁面１１０ＤをＬ字状の金物１３１で接合する。なお、同様に金物１３１による固定は上方から作業を行うことができる。
【００４０】
左右に隣り合うユニット１００同士は、同様に水平部材１２０の左右の端部１２６同士を突き合わせて、段差１２４に合板製の接合板材１７０をはめ込みビスで固定するスプライン接合で接合する。同様に、ユニット１００の水平部材１２０同士のスプライン接合は、上方から作業を行うことができる。
【００４１】
ユニット構造部５０とユニット構造部５１との間（廊下２０）にも、壁部材１１０の上端面１１０Ｂに直交集成材２００で構成された水平部材１２９を架け渡し、スプライン接合する。
【００４２】
各居室５２における取付孔１１２は、図示していない木質材で閉ざす。居室５２における水平部材１２０上に、図示していない床根太等を設けて床仕上材６０を設ける。また、直交集成材２００で構成された壁材１８０、１８１（図６参照）や図示していない窓やドア等を設ける。更に、居室５２内に、図示していないユニットバス、照明器具及び空調設備などを設ける。
【００４３】
なお、工場等において、ユニット１００に壁材１８０、１８１や図示していない床根太、ユニットバス、照明器具、空調設備などを予め設けておいてもよい。
【００４４】
［作用及び効果］
次に本実施形態の作用及び効果について説明する。
【００４５】
構造物１０を構成するユニット構造部５０、５１は、木質の直交集成材２００からなる壁部材１１０及び水平部材１２０で構成されているユニット１００を、上下方向及び左右方向に接合して構築される。ユニット構造部５０、５１は、このように木質の壁部材１１０及び水平部材１２０で構成されたパネル工法であるので、木造軸組と比較し、耐震性が高く、筋交等を設ける必要がない。したがって、現場での作業が少なくなり、工期が短くなる。
【００４６】
また、Ｌ字状の金物１３０、１３１による固定及び接合板材１７０によるスプライン接合は全て上方から作業できるので、作業性が良い。よって、更に工期が短くなる。
【００４７】
また、ユニット１００は、壁部材１１０から張り出した水平部材１２０の張出部１２２の下面１２２Ａと、壁部材１１０の外側の壁面１１０Ｃと、がＬ字状の金物１３０で接合されている。また、左右に隣り合うユニット１００同士は、水平部材１２０の左右の端部１２６同士を突き合わせて、段差１２４に合板製の接合板材１７０をはめ込みビスで固定している。これらは、居室５２の外側にあり、居室５２からは見えない。
【００４８】
更に、ユニット１００の壁部材１１０の居室５２側の内側の壁面１１０Ｄと、基礎３０又は下側のユニット１００の水平部材１２０とを接合するＬ字状の金物１３１は、床仕上材６０の下側に位置しており、居室５２からは見ない。
【００４９】
よって、居室５２からは、金物１３０、１３１及び接合板材１７０は見えずに、木質の直交集成材２００のみが見えるので、意匠性が向上する。
【００５０】
また、隣り合うユニット１００の壁部材１１０と壁部材１１０との間１１１には、吸音材１６０が設けられているので、防音性能が向上する。
【００５１】
また、隣り合う居室５２間を構成する壁部材１１０と壁部材１１０とを一つの複合壁と見なすことで、壁部材１１０（直交集成材２００）の板厚を薄くできる。
【００５２】
＜その他＞
尚、本発明は上記実施形態に限定されない。
【００５３】
例えば、上記実施形態では、ユニット１００の壁部材１１０を構成する直交集成材２００同士及び水平部材１２０を構成する直交集成材２００同士は仮固定し、現場ではユニット１００単位で接合したが、これに限定されない。ユニット１００は複数に分割され、分割された分割ユニットを現場で並べて設置してもよい。例えば、本実施形態では、壁部材１１０及び水平部材１２０は、それぞれ五枚の直交集成材２００で構成されているが、直交集成材２００毎に分割された分割ユニット１０１を工場で製作し、分割ユニット１０１を現場でＹ方向に並べて設置して、ユニット１００を完成させてもよい。
【００５４】
また、例えば、上記実施形態では、ユニット１００における水平部材１２０は壁部材１１０から左右（Ｘ方向）に張り出していたが、これに限定されない。水平部材１２０は壁部材１１０の左右のいずれか一方のみから張り出していてもよい。
【００５５】
また、例えば、上記実施形態では、ユニット１００は、上下及び左右方向に接合されてユニット構造部５０、５１が構成されていたが、これに限定されない。ユニット１００が、上下方向及び左右方向の少なくとも一方向に接合された構造であってもよい。
【００５６】
また、例えば、上記実施形態では、直交集成材２００（Ｃｒｏｓｓ  Ｌａｍｉｎａｔｅｄ  Ｔｉｍｂｅｒ（ＣＬＴ））で壁部材１１０及び水平部材１２０で構成されているが、これに限定されない。直交集成材２００以外の木質の積層材、例えば、単板積層材（Ｌａｍｉｎａｔｅｄ  Ｖｅｎｅｅｒ  Ｌｕｍｂｅｒ（ＬＶＬ））で構成されていてもよい。
【００５７】
また、例えば、上記実施形態では、壁部材１１０及び水平部材１２０は、複数枚の木質の積層材（上記実施形態では直交集成材２００）で構成されていたが、これに限定されない。
【００５８】
また、上記実施形態では、隣り合うユニット１００の壁部材１１０と壁部材１１０との間１１１には、吸音材１６０が設けられているが、吸音材１６０以外、例えば、耐火ボード、配管及び配線などが設けられていてもよい。また、隣り合うユニット１００の壁部材１１０と壁部材１１０との間１１１を広くし、倉庫や居室として利用してもよい。
【００５９】
また、上記実施形態では、ユニット構造部５０、５１は、複数のユニット１００が上下（Ｚ方向）及び左右（Ｘ方向）に接合されて構築されていたが、これに限定されない。
【００６０】
本発明の要旨を逸脱しない範囲において種々なる態様で実施し得ることは言うまでもない。
【符号の説明】
【００６１】
１０      構造物
５０      ユニット構造部（ユニット構造物の一例）
５１      ユニット構造部（ユニット構造物の一例）
１００      ユニット
１０１      分割ユニット
１１０      壁部材
１２０      水平部材
１２２      張出部
１３０      金物
１６０      吸音材
２００      直交集成材（木質の積層材の一例）
【図１】
2018168652.tif 000003
【図２】
2018168652.tif 000004
【図３】
2018168652.tif 000005
【図４】
2018168652.tif 000006
【図５】
2018168652.tif 000007
【図６】
2018168652.tif 000008